(57)【要約】【課題】筐体のスロットに基板が挿入される電子装置において、筐体と基板との接続部分にかかる応力を低減させる。【解決手段】電子装置１０は、スロット３８が設けられた筐体２０と、基板４４と、基板４４の挿入方向側の端部に設けられた第１コネクタ５０と、スロット３８に基板４４が挿入されたときに第１コネクタ５０と嵌合するスロット３８内の第２コネクタ５２と、基板４４の挿入方向と交差する方向の基板４４の両端部側の各々においてスロット３８に挿入される基板４４の両面側で挿入方向に沿って延びた第１のガイドレール４８ａおよび第２のガイドレール４８ｂを有する一対のガイドレール４８と、スロット３８に挿入された基板４４を挟み込むように付勢する一対の付勢部材５４、５６と、を備える。【選択図】図２
2019192784.tif 000002
【特許請求の範囲】
【請求項１】
スロットが設けられた筐体と、
前記スロットに挿入される基板と、
前記基板の挿入方向側の端部に設けられた第１コネクタと、
前記筐体内に設けられ、前記スロットに前記基板が挿入されたときに前記第１コネクタと嵌合する第２コネクタと、
前記基板の前記スロットへの挿入をガイドするために、前記挿入方向と交差する方向の前記基板の両端部側の各々において、前記スロットに挿入される前記基板の両面側で前記挿入方向に沿って延びるように前記スロット内に設けられた第１のガイドレールおよび第２のガイドレールを有する一対のガイドレールと、
前記基板が前記スロットに挿入された状態において前記基板を挟み込むように付勢する一対の付勢部材と、
を備える、電子装置。
【請求項２】
請求項１に記載の電子装置であって、
前記一対の付勢部材は、
前記第１のガイドレールと前記基板との間で前記基板を前記第２のガイドレールの方向に付勢する第１の付勢部材と、
前記第２のガイドレールと前記基板との間で前記基板を前記第１のガイドレールの方向に付勢する第２の付勢部材と、
を有する、電子装置。
【請求項３】
請求項１または２に記載の電子装置であって、
前記一対のガイドレールは、
前記第１コネクタと前記第２コネクタとが嵌合した状態において前記一対の付勢部材が位置する第１の領域と、
前記第１の領域以外の第２の領域と、
を有し、
前記第１の領域における前記第１のガイドレールと前記第２のガイドレールとの間隔は、前記第２の領域における前記第１のガイドレールと前記第２のガイドレールとの間隔よりも広くされた、電子装置。
【請求項４】
請求項３に記載の電子装置であって、
前記第１の領域は前記スロットの開口側に設けられた、電子装置。
【請求項５】
請求項１に記載の電子装置であって、
前記一対の付勢部材は、
前記基板が前記スロットに挿入された状態において前記両端部の一方の端部に対向する前記スロットの内壁と該一方の端部との間で前記基板を前記両端部の他方の端部の方向に付勢する第１の付勢部材と、
前記基板が前記スロットに挿入された状態において前記他方の端部に対向する前記スロットの内壁と前記他方の端部との間で前記基板を前記一方の端部の方向に付勢する第２の付勢部材と、
を有する、電子装置。
【請求項６】
請求項１〜５のいずれか１項に記載の電子装置であって、
前記一対の付勢部材は前記スロット側に固定して設けられた、電子装置。
【請求項７】
請求項１〜５のいずれか１項に記載の電子装置であって、
前記一対の付勢部材は前記基板に固定して設けられた、電子装置。
【発明の詳細な説明】
【技術分野】
【０００１】
本発明は、筐体のスロットに挿入される基板側の第１コネクタとスロット側の第２コネクタとが嵌合する構造を有した電子装置に関する。
【背景技術】
【０００２】
この種の電子装置として、例えば、下記の特許文献１に開示された電子装置がある。下記の特許文献１の電子装置は、筐体内のスロットが設けられた筐体と、スロットに挿入される基板とを有する。また、基板の挿入方向側の端部には第１コネクタがはんだによって結合されており、スロット内には基板の挿入を案内する一対のガイドレールおよび第２コネクタが設けられている。そして、基板がスロットに挿入されると、第１コネクタと第２コネクタとが嵌合するようにされている。
【先行技術文献】
【特許文献】
【０００３】
【特許文献１】特開２００２−２４６７７２号公報
【発明の概要】
【発明が解決しようとする課題】
【０００４】
上記した特許文献１の電子機器では、筐体に対して基板を固定している部位は第１コネクタと第２コネクタとの嵌合部分および第１コネクタと基板とのはんだ接合部分（以下、単に「接続部分」と記載する）のみである。このような電子装置においては、例えば、基板に振動が加わると、筐体と基板とを接続している接続部分に応力が集中することになる。その結果、接続部分にかかる応力が負荷となって、接続部分延いては電子装置を破損させる原因となることがあった。
【０００５】
そこで、本発明は、筐体のスロットに基板が挿入される電子装置において、筐体と基板との接続部分にかかる応力を低減させることを目的とする。
【課題を解決するための手段】
【０００６】
本発明の一態様では、電子装置は、スロットが設けられた筐体と、前記スロットに挿入される基板と、前記基板の挿入方向側の端部に設けられた第１コネクタと、前記筐体内に設けられ、前記スロットに前記基板が挿入されたときに前記第１コネクタと嵌合する第２コネクタと、前記基板の前記スロットへの挿入をガイドするために、前記挿入方向と交差する方向の前記基板の両端部側の各々において、前記スロットに挿入される前記基板の両面側で前記挿入方向に沿って延びるように前記スロット内に設けられた第１のガイドレールおよび第２のガイドレールを有する一対のガイドレールと、前記基板が前記スロットに挿入された状態において前記基板を挟み込むように付勢する一対の付勢部材と、を備える。
【発明の効果】
【０００７】
本発明によれば、基板が一対の付勢部材の各々から付勢されたことで、筐体内に基板が固定され、その結果として、筐体と基板との接続部分にかかる応力が低減される。
【図面の簡単な説明】
【０００８】
【図１】第１の実施の形態に係る電子装置の全体の構成を示す斜視図である。
【図２】第１の実施の形態に係る電子装置の一部の構成を示す分解斜視図である。
【図３】第１の実施の形態に係るスロットに基板が挿入されたときの様子を示す概略図である。
【図４】第１の実施の形態の変形例１に係る電子装置のスロットに基板が挿入されたときの様子を示す概略図である。
【図５】第１の実施の形態の変形例２に係る電子装置の一部の構成を示す分解斜視図である。
【図６】第２の実施の形態に係る電子装置の一部の構成を示す斜視図である。
【図７】第２の実施の形態に係る電子装置のスロットに基板が挿入されたときの状態を示す斜視図である。
【図８】第２の実施の形態の変形例１に係る電子装置の一部の構成を示す斜視図である。
【発明を実施するための形態】
【０００９】
本発明に係る電子装置について、好適な実施の形態を挙げ、添付の図面を参照しながら以下、詳細に説明する。
【００１０】
［第１の実施の形態の構成］
図１は、第１の実施の形態に係る電子装置１０の全体の構成を示す斜視図である。
【００１１】
図１に示されたように、本実施の形態に係る電子装置１０は、例えば工作機械、ロボット、射出成形機、ワイヤ放電加工機等を制御するための制御装置である。電子装置１０は、表示器１２に設けられている。表示器１２は、例えば表示ユニットであって、表示器１２の前面１４には不図示の液晶画面が設けられている。なお、表示器１２の画面は液晶でなくてもよい。
【００１２】
以下の説明では、表示器１２の表示画面を正面から見た方向にしたがって、上下、左右および前後の方向を説明する。
【００１３】
図１の例では、表示器１２の背面１６には、不図示の外部装置に接続可能なユーザ・インターフェース・ユニット１８と電子装置１０とが着脱可能に取り付けられている。なお、例えば、電子装置１０と表示器１２とが無線の電気通信回線を通じてお互いに信号を送受信できるのであれば、電子装置１０と表示器１２とはお互いに離れた場所に設けられてもよい。
【００１４】
電子装置１０は、表示器１２の背面１６に着脱可能に取り付けられる箱型の筐体２０を有しており、筐体２０の底面２２は表示器１２の背面１６に対向している。また、電子装置１０は、筐体２０と、筐体２０内に収納されて表示器１２および産業機械を制御する制御部３０ならびに制御部３０に接続されるバックプレート３２とを有する。
【００１５】
筐体２０の底面２２に隣接する側面のうち、ユーザ・インターフェース・ユニット１８寄りの上下方向に沿った側面２４には、筐体２０内を冷却するための２つのファン２６を収納するファンユニット２８が筐体２０に着脱可能に取り付けられている。なお、筐体２０に取り付けられるファンユニット２８の数およびファンユニット２８に収納されるファン２６の数は特に限定されない。例えば、１つのファンユニット２８に３つのファン２６が収納されてもよい。
【００１６】
また、筐体２０の底面２２に隣接する側面のうち、ファンユニット２８が取り付けられる側面２４に隣接する下面３４（下側の側面）には、形状または大きさが異なる複数の開口３６が形成されている。
【００１７】
そして、筐体２０には、この複数の開口３６の各々から側面２４に平行な方向に沿って延びる複数のスロット３８が設けられている。すなわち、筐体２０内には、表示器１２の背面１６とは反対の天板４０から底面２２に向かって延びた複数の仕切り板４２が設けられており、底面２２、バックプレート３２、天板４０および複数の仕切り板４２によって区画された筐体２０内の複数の空間の各々がスロット３８として形成される。なお、左右方向に延びる複数の仕切り板をさらに設けて、筐体２０内の空間を前後方向に分割することで複数のスロット３８を形成してもよい。
【００１８】
バックプレート３２は、複数の基板４４に接続される接続基板である。このバックプレート３２は、筐体２０内の上方向の奥側、すなわち、複数のスロット３８の上方向の奥側において、筐体２０の上側の側面（上面４６）と平行に、且つ、底面２２と垂直に配置され、不図示のコネクタを介して表示器１２と接続されている。
【００１９】
基板４４は、例えばプリント基板であって、不図示の電子部品や回路が基板４４の実装面４４ａに実装されている。図１の例では、複数の基板４４によって制御部３０が構成される。
【００２０】
なお、図１では、１つのスロット３８について基板４４を挿抜する場合のスロット３８内の構成を破線等で図示している。また、図１は、基板４４の挿入方向を上方向とし、基板４４の挿入方向とは反対側である抜出方向を下方向としている。
【００２１】
また、複数のスロット３８の各々には、第１のガイドレール４８ａと第２のガイドレール４８ｂとを有する一対のガイドレール４８が設けられている。一対のガイドレール４８は、例えば樹脂や金属からなり、基板４４における挿入方向と交差する方向（左右方向）側の両端部の各々に対応するように、仕切り板４２または筐体２０の側面を形成する内壁等に固定して設けられる。
【００２２】
第１のガイドレール４８ａおよび第２のガイドレール４８ｂは、スロット３８に挿入される基板４４の両面側に配置されるように上下方向に沿って延びている。
【００２３】
基板４４は、基板４４の端部が一対のガイドレール４８に差し込まれることで、挿入方向に沿ってスロット３８内を移動するようになる。すなわち、本実施の形態では、ガイドレール４８に基板４４を差し込むことによって、スロット３８に対する前後方向および左右方向での基板４４のある程度での位置決めが容易になされるようになっている。
【００２４】
また、本実施の形態では、基板４４のバックプレート３２側の端部（基板４４の挿入方向側の端部）には、第１コネクタ５０が設けられており、基板４４上の表面実装部品と第１コネクタ５０とはお互いに電気的に接続されている。なお、本実施の形態では、基板４４の表面実装部品と第１コネクタ５０とははんだによって結合されているものとする。
【００２５】
一方で、バックプレート３２には複数の第２コネクタ５２が設けられている。複数の第２コネクタ５２は複数のスロット３８の各々の位置に対応して設けられており、基板４４が挿入されたときに第１コネクタ５０と嵌合する。
【００２６】
スロット３８に基板４４が挿入されると、基板４４は一対のガイドレール４８によってバックプレート３２まで導かれ、基板４４の第１コネクタ５０とバックプレート３２の第２コネクタ５２とが嵌合する。これにより、制御部３０を構成する複数の基板４４に表示器１２が電気的に接続されるので、表示器１２を制御部３０によって制御することができる。
【００２７】
図２は、第１の実施の形態に係る電子装置１０の一部の構成を示す分解斜視図である。
【００２８】
図２に示されたように、本実施の形態では、基板４４の挿入方向と交差する方向（左右方向）側の基板４４の両端部の各々に、基板４４を挟むように配置された一対の付勢部材５４が設けられる。一対の付勢部材５４は付勢力を備えた部材であって、それは例えば、弾性を有するばねである。
【００２９】
本実施の形態では、各々がＵ字状に湾曲したばねである第１の付勢部材５４ａおよび第２の付勢部材５４ｂから一対の付勢部材５４が構成されている。すなわち、図２に示されたように、基板４４の実装面４４ａにおいて左右方向側の両端部の各々に第１の付勢部材５４ａが設けられるとともに、基板４４の裏面４４ｂ（図２参照）においては、第１の付勢部材５４ａに対応する位置に第２の付勢部材５４ｂが設けられている。また、第１の付勢部材５４ａと第２の付勢部材５４ｂの各々の先端部は基板４４の挿入方向とは逆の方向（下方向）側にされており、第１の付勢部材５４ａと第２の付勢部材５４ｂの各々の屈曲部は基板４４の挿入方向（上方向）側を向いている。
【００３０】
図２の例では、一対の付勢部材５４は基板４４の面上に設けられる。したがって、一対の付勢部材５４は、電子部品などを基板４４に実装するのと同じ工程において、基板４４に設けることができる。このため、本実施の形態では、電子装置１０の製造工程が増加するまたは複雑化することが回避される。また、図２の例では、基板４４上に設けられた一対の付勢部材５４の先端部の向いた方向を基板４４の挿入方向とは逆の方向側にしたことで、基板４４をスロット３８に挿入する際に付勢部材５４の先端部が開口３６の縁に引っかかって挿入が阻害されることが防止される。
【００３１】
ここで、本実施の形態における基板４４、一対のガイドレール４８、および一対の付勢部材５４の寸法の関係について説明する。本実施の形態では、第１のガイドレール４８ａと第２のガイドレール４８ｂとの間隔（前後方向の長さ）は、一対の付勢部材５４に外部からの力が加えられていない状態における一対の付勢部材５４の高さ（前後方向の長さ）と基板４４の厚さ（前後方向の長さ）との和よりも小さく、且つ、一対の付勢部材５４が最大限圧縮された状態における一対の付勢部材５４の高さと基板４４の厚さとの和よりも大きい。したがって、基板４４および一対の付勢部材５４を一対のガイドレール４８に差し込むと、一対の付勢部材５４による付勢力が基板４４に加わる。
【００３２】
図３は、第１の実施の形態に係るスロット３８に基板４４が挿入されたときの様子を示す概略図である。
【００３３】
図３に示されたように、基板４４がスロット３８に挿入されると、第１の付勢部材５４ａが第１のガイドレール４８ａに密着し、第２のガイドレール４８ｂ側方向の付勢力を基板４４に加える。また、基板４４がスロット３８に挿入されると、第２の付勢部材５４ｂが第２のガイドレール４８ｂに密着し、第１のガイドレール４８ａ側方向の付勢力を基板４４に加える。
【００３４】
ここで、既に説明したように、従来の電子装置では筐体に振動が加わるなどの原因によって接続部分に応力が集中し、その結果、接続部分に破損が生じることがあった。
【００３５】
しかしながら、本実施の形態に係る電子装置１０に設けられた一対の付勢部材５４は、第１のガイドレール４８ａと基板４４との間で基板４４を第２のガイドレール４８ｂの方向に付勢する第１の付勢部材５４ａと、第２のガイドレール４８ｂと基板４４との間で基板４４を第１のガイドレール４８ａの方向に付勢する第２の付勢部材５４ｂとを有する。これにより、第１のガイドレール４８ａと基板４４との間の第１の付勢部材５４ａが第２のガイドレール４８ｂ側方向の付勢力を基板４４に加えるとともに、第２のガイドレール４８ｂと基板４４との間の第２の付勢部材５４ｂが第１のガイドレール４８ａ側方向の付勢力を基板４４に加える。
【００３６】
そして、一対の付勢部材５４から基板４４に加えられた付勢力によって、基板４４をスロット３８（筐体２０）内に固定することができる。
【００３７】
その結果、筐体２０と基板４４との嵌合部分や基板４４と第１コネクタ５０との接続部分（接合部分）にかかる応力が低減される。また、接続部分が応力によって破損することが抑制され、延いては電子装置１０の耐振動性が確保される。さらに、一対の付勢部材５４の各々は、お互いに逆方向の付勢力を基板４４に加えるので、付勢力によって基板４４が歪んだり傾いたりしてしまうことも抑制される。
【００３８】
〔変形例〕
以上、本発明の一例として第１の実施の形態が説明されたが、上記第１の実施の形態に、多様な変更または改良を加えることが可能であることはもちろんである。その様な変更または改良を加えた形態も本発明の技術的範囲に含まれ得ることが、特許請求の範囲の記載から明らかである。
【００３９】
（変形例１）
図４は、変形例１に係る電子装置１０のスロット３８に基板４４が挿入されたときの様子を示す概略図である。
【００４０】
例えば、図４に示されたように、一対のガイドレール４８は、スロット３８の開口３６側の第１の領域Ｘにおける間隔ｄ1と第１の領域Ｘ以外の領域である第２の領域Ｙにおける間隔ｄ2との少なくとも２つの間隔を有してもよい。
【００４１】
間隔ｄ1は、第１の実施の形態で説明した一対のガイドレール４８の間隔と同様の条件で設けられている。すなわち、間隔ｄ1の長さは一対の付勢部材５４が伸びた状態における一対の付勢部材５４の高さと基板４４の厚さとの和よりも小さく、且つ、一対の付勢部材５４が最大限圧縮された状態における一対の付勢部材５４の高さと基板４４の厚さとの和よりも大きい。一方で、間隔ｄ2は間隔ｄ1よりも狭くなるように設けられている。
【００４２】
このように、本例における一対のガイドレール４８は、第１コネクタ５０と第２コネクタ５２とが嵌合した状態において一対の付勢部材５４が位置する第１の領域Ｘと、第１の領域Ｘ以外の第２の領域Ｙとを有し、第１の領域Ｘにおける第１のガイドレール４８ａと第２のガイドレール４８ｂとの間隔ｄ1は、第２の領域Ｙにおける第１のガイドレール４８ａと第２のガイドレール４８ｂとの間隔ｄ2よりも広くされている。
【００４３】
また、本例では、第１の領域Ｘはスロット３８の開口３６側に設けられている。
【００４４】
本例の電子装置１０では、第１の領域Ｘにおいて一対の付勢部材５４の付勢力が基板４４に加わることで、第１の実施の形態と同様にスロット３８内に基板４４が固定されるのみならず、間隔ｄ1よりも狭い間隔ｄ2を有する第２の領域Ｙに基板４４が差し込まれることによって、第１コネクタ５０は第２コネクタ５２まで精度よくガイドされる。
【００４５】
（変形例２）
図５は、変形例２に係る電子装置１０の一部の構成を示す分解斜視図である。
【００４６】
例えば、図５に示されたように、一対の付勢部材５４は、スロット３８側（筐体２０側）に固定して設けられてもよい。図５の例では、一対の付勢部材５４は弾性を有するＵ字状のばねである。図５の例では、一対の付勢部材５４は各々の先端部が基板４４の挿入方向（上方向）側を向くように湾曲している。これにより、基板４４をスロット３８に挿入する際に一対の付勢部材５４の先端部が基板４４に引っかかって挿入が阻害されることが防止される。
【００４７】
（変形例３）
例えば、上記した第１の実施の形態の例では基板４４の左右方向側の両端部の各々の側に一対の付勢部材５４が位置するように構成されたが、一方の側のみに一対の付勢部材５４を設けてもよい。
【００４８】
［第２の実施の形態の構成］
以下、第２の実施の形態に係る電子装置１０について説明する。なお、第１の実施の形態で説明した構成要素と同様の構成要素については同一の符号を付し、重複する説明は適宜省略する。
【００４９】
図６は、第２の実施の形態に係る電子装置１０の一部の構成を示す斜視図である。また、図７は、第２の実施の形態に係る電子装置１０のスロット３８に基板４４が挿入されたときの状態を示す斜視図である。
【００５０】
図６および図７に示されたように、本実施の形態に係る電子装置１０では、一対の付勢部材５６がスロット３８の壁面（仕切り板４２）と基板４４との間に設けられる。すなわち、本実施の形態では、基板４４の左右方向側の両端部のうちの一方の端部４４ｃと、一方の端部４４ｃに対向するスロット３８の壁面との間に第１の付勢部材５６ａが設けられる。また、基板４４の左右方向側の両端部のうちの他方の端部４４ｄと、他方の端部４４ｄに対向するスロット３８の壁面との間に第２の付勢部材５６ｂが設けられる。
【００５１】
一対の付勢部材５６は付勢力を備えた部材であって、それは例えば、弾性を有するばねである。
【００５２】
本実施の形態では、一対の付勢部材５６の各々はＵ字状に湾曲したばねであるものとする。この例においては、図６のように、一対の付勢部材５６の各々の先端部は基板４４の挿入方向（上方向）側にされており、一対の付勢部材５６の各々の屈曲部は基板４４の挿入方向とは逆の方向（下方向）側にされている。また、一対の付勢部材５６の各々が有する少なくとも一方の先端部がバックプレート３２に固定されているものとする。このように、一対の付勢部材５６の各々の先端部が基板４４の挿入方向側を向いていることで、基板４４をスロット３８に挿入する際に一対の付勢部材５６の先端部が基板４４に引っかかって挿入が阻害されることが防止される。
【００５３】
ここで、本実施の形態における基板４４、一対のガイドレール４８、および一対の付勢部材５６の寸法の関係について説明する。本実施の形態では、一対の付勢部材５６の各々の間の左右方向での最短距離は、一対の付勢部材５６の各々が圧縮されていない状態において基板４４の横幅（左右方向の長さ）よりも小さく、且つ、一対の付勢部材５６の各々が最大限圧縮された状態において基板４４の横幅よりも大きくなるようにされている。また、一対のガイドレール４８を構成する第１のガイドレール４８ａと第２のガイドレール４８ｂとの間隔（前後方向の長さ）は、一対の付勢部材５６の各々の横幅（前後方向の長さ）よりも大きい。したがって、基板４４および一対の付勢部材５６を一対のガイドレール４８に差し込むと、一対の付勢部材５６による付勢力が基板４４に加わる。
【００５４】
以上の構成を有する電子装置１０においては、基板４４がスロット３８に挿入されると、第１の付勢部材５６ａが基板４４に対して一方の端部４４ｃから他方の端部４４ｄの方向に付勢力を加える。また、第２の付勢部材５６ｂが基板４４に対して他方の端部４４ｄから一方の端部４４ｃの方向に付勢力を加える。
【００５５】
そして、一対の付勢部材５６から基板４４に加わる付勢力によって、基板４４をスロット３８（筐体２０）内に固定することができる。
【００５６】
これにより、筐体２０と基板４４との嵌合部分や基板４４と第１コネクタ５０との接続部分にかかる応力が低減される。その結果、接続部分が応力によって破損することが抑制され、延いては電子装置１０の耐振動性が確保される。さらに、一対の付勢部材５６の各々は、お互いに逆方向の付勢力を基板４４に加えるので、付勢力によって基板４４が歪んだり曲がったりしてしまうことも抑制される。
【００５７】
〔変形例〕
以上、本発明の一例として第２の実施の形態が説明されたが、上記第２の実施の形態に、多様な変更または改良を加えることが可能であることはもちろんである。その様な変更または改良を加えた形態も本発明の技術的範囲に含まれ得ることが、特許請求の範囲の記載から明らかである。
【００５８】
（変形例１）
図８は、第２の実施の形態の変形例１に係る電子装置１０の一部の構成を示す斜視図である。
【００５９】
例えば、図８に示されたように、一対の付勢部材５６は、基板４４の一方の端部４４ｃと他方の端部４４ｄとにそれぞれ固定されてもよい。このとき、例えば図８のように、一対の付勢部材５６がＵ字状に湾曲した形状であれば、一対の付勢部材５６の各々の先端部が向く方向を基板４４の挿入方向とは逆の方向（下方向）側にすることで、基板４４をスロット３８に挿入する際に一対の付勢部材５６がスロット３８の開口３６の縁に引っかかって挿入が阻害されることが防止される。
【００６０】
（変形例２）
上記した第２の実施の形態の変形例１のほかに、例えば、一対の付勢部材５６はスロット３８の壁面に固定されてもよい。
【００６１】
（変形例３）
上記実施の形態および変形例は、矛盾の生じない範囲で任意に組み合わされてもよい。
【００６２】
［実施の形態から得られる技術的思想］
上記実施の形態および変形例から把握しうる技術的思想について、以下に記載する。
【００６３】
電子装置（１０）は、スロット（３８）が設けられた筐体（２０）と、前記スロット（３８）に挿入される基板（４４）と、前記基板（４４）の挿入方向側の端部に設けられた第１コネクタ（５０）と、前記筐体（２０）内に設けられ、前記スロット（３８）に前記基板（４４）が挿入されたときに前記第１コネクタ（５０）と嵌合する第２コネクタ（５２）と、前記基板（４４）の前記スロット（３８）への挿入をガイドするために、前記挿入方向と交差する方向の前記基板（４４）の両端部側の各々において、前記スロット（３８）に挿入される前記基板（４４）の両面側で前記挿入方向に沿って延びるように前記スロット（３８）内に設けられた第１のガイドレール（４８ａ）と第２のガイドレール（４８ｂ）とを有する一対のガイドレール（４８）と、前記基板（４４）が前記スロット（３８）に挿入された状態において前記基板（４４）を挟み込むように付勢する一対の付勢部材（５４、５６）と、を備える。
【００６４】
これにより、基板（４４）が一対の付勢部材（５４、５６）の各々から付勢され、筐体（２０）内に基板（４４）が固定される。その結果、筐体（２０）と基板（４４）との接続部分にかかる応力が低減され、延いては電子装置（１０）の耐振動性が確保される。
【００６５】
前記一対の付勢部材（５４）は、前記第１のガイドレール（４８ａ）と前記基板（４４）との間で前記基板（４４）を前記第２のガイドレール（４８ｂ）の方向に付勢する第１の付勢部材（５４ａ）と、前記第２のガイドレール（４８ｂ）と前記基板（４４）との間で前記基板（４４）を前記第１のガイドレール（４８ａ）の方向に付勢する第２の付勢部材（５４ｂ）と、を有してもよい。これにより、基板（４４）をスロット（３８）延いては筐体（２０）内に固定することができる。その結果、筐体（２０）と基板（４４）との嵌合部分や基板（４４）と第１コネクタ（５０）との接続部分にかかる応力が低減され、延いては電子装置（１０）の耐振動性が確保される。
【００６６】
前記一対のガイドレール（４８）は、前記第１コネクタ（５０）と前記第２コネクタ（５２）とが嵌合した状態において前記一対の付勢部材（５４）が位置する第１の領域（Ｘ）と、前記第１の領域（Ｘ）以外の第２の領域（Ｙ）と、を有し、前記第１の領域（Ｘ）における前記第１のガイドレール（４８ａ）と前記第２のガイドレール（４８ｂ）との間隔は、前記第２の領域（Ｙ）における前記第１のガイドレール（４８ａ）と前記第２のガイドレール（４８ｂ）との間隔よりも広くされてもよい。これにより、スロット（３８）延いては筐体（２０）内に基板（４４）が固定される。その一方で、第１コネクタ（５０）は第２コネクタ（５２）まで精度よくガイドされる。
【００６７】
電子装置（１０）の前記第１の領域（Ｘ）は前記スロット（３８）の開口（３６）側に設けられてもよい。これにより、スロット（３８）延いては筐体（２０）内に基板（４４）が固定される。その一方で、第１コネクタ（５０）は第２コネクタ（５２）まで精度よくガイドされる。
【００６８】
前記一対の付勢部材（５６）は、前記基板（４４）が前記スロット（３８）に挿入された状態において前記両端部の一方の端部（４４ｃ）に対向する前記スロット（３８）の内壁と該一方の端部（４４ｃ）との間で前記基板（４４）を前記両端部の他方の端部（４４ｄ）の方向に付勢する第１の付勢部材（５６ａ）と、前記基板（４４）が前記スロット（３８）に挿入された状態において前記他方の端部（４４ｄ）に対向する前記スロット（３８）の内壁と前記他方の端部（４４ｄ）との間で前記基板（４４）を前記一方の端部（４４ｃ）の方向に付勢する第２の付勢部材（５６ｂ）と、を有してもよい。これにより、基板（４４）をスロット（３８）延いては筐体（２０）内に固定することができる。その結果、筐体（２０）と基板（４４）との嵌合部分や基板（４４）と第１コネクタ（５０）との接続部分にかかる応力が低減され、延いては電子装置（１０）の耐振動性が確保される。
【００６９】
前記一対の付勢部材（５４、５６）は前記スロット（３８）側に固定して設けられてもよい。これにより、基板（４４）が一対の付勢部材（５４、５６）の各々から付勢され、スロット（３８）延いては筐体（２０）内に基板（４４）が固定される。その結果、筐体（２０）と基板（４４）との接続部分にかかる応力が低減され、延いては電子装置（１０）の耐振動性が確保される。
【００７０】
電子装置（１０）の前記一対の付勢部材（５４、５６）は前記基板（４４）に固定して設けられてもよい。これにより、基板（４４）が一対の付勢部材（５４、５６）の各々から付勢され、スロット（３８）延いては筐体（２０）内に基板（４４）が固定される。その結果、筐体（２０）と基板（４４）との接続部分にかかる応力が低減され、延いては電子装置（１０）の耐振動性が確保される。
【符号の説明】
【００７１】
１０…電子装置                          １２…表示器
１４…前面                              １６…背面
１８…ユーザ・インターフェース・ユニット
２０…筐体                              ２２…底面
２４…側面                              ２６…ファン
２８…ファンユニット                    ３０…制御部
３２…バックプレート                    ３４…下面
３６…開口                              ３８…スロット
４０…天板                              ４２…仕切り板
４４…基板                              ４６…上面
４８…ガイドレール                      ５０…第１コネクタ
５２…第２コネクタ                      ５４、５６…付勢部材
【図１】
2019192784.tif 000003
【図２】
2019192784.tif 000004
【図３】
2019192784.tif 000005
【図４】
2019192784.tif 000006
【図５】
2019192784.tif 000007
【図６】
2019192784.tif 000008
【図７】
2019192784.tif 000009
【図８】
2019192784.tif 000010